(57)【要約】【課題】軽量・小型で取り扱い性に優れ、しかも、壁パネル及び屋根パネルを一気に施工可能とする折り畳み式パネルを提供して、運搬・荷下ろし・組立を一貫して簡易化する。【解決手段】壁パネル１１を形成するための複数枚のパネル２１と屋根パネル１２を形成するための複数枚のパネル２１とからなり、個々のパネル２１を互いに回動可能とする連結部２２により次々に連結して全パネル２１が連続状態となった構成であって、全パネル２１を連結部２２で互い違いに折り畳んで重ねた状態と全パネル２１を展開した状態とに形態変化可能な構成とした折り畳み式パネル２０である。【選択図】        図２
2004244894.tif 000002
【特許請求の範囲】
【請求項１】
壁パネルを形成するための複数枚のパネルと屋根パネルを形成するための複数枚のパネルとからなり、個々のパネルを互いに回動可能とする連結部により次々に連結して全パネルが連続状態となった構成であって、
全パネルを連結部で互い違いに折り畳んで重ねた状態と全パネルを展開した状態とに形態変化可能な構成としたことを特徴とする折り畳み式パネル。
【請求項２】
全パネルの展開状態において、個々のパネルが連結部に生じる隙間に固定部材をそれぞれ挿入することにより互いに固定状態となることを特徴とする請求項１に記載の折り畳み式パネル。
【請求項３】
全パネルは、個々のパネルが連結部と直交方向の端部で隣接するパネルにそれぞれオーバーラップする止水材を有することを特徴とする請求項１または請求項２に記載の折り畳み式パネル。
【請求項４】
請求項１から請求項３のいずれか一項に記載の折り畳み式パネルが用いられ、
折り畳み状態から個々のパネルを展開して複数枚のパネルがそれぞれ平板状に連続して形成される壁パネル及び屋根パネルを備えることを特徴とするパネル展開式ハウス。
【請求項５】
請求項４に記載のパネル展開式ハウスの施工方法であって、
折り畳んで重ねた状態の全パネルを最上段のパネルから吊り上げて次々に展開させるとともに壁位置及び屋根位置に沿わせた後、
壁パネル及び屋根パネルを形成する個々のパネルを連結部において互いに固定することを特徴とするパネル展開式ハウスの施工方法。
【発明の詳細な説明】
【０００１】
【発明の属する技術分野】
本発明は、壁パネル及び屋根パネルを一気に施工可能とする折り畳み式パネル、その折り畳み式パネルを用いたパネル展開式ハウス、そのパネル展開式ハウスの施工方法に関する。
【０００２】
【従来の技術】
妻側パネルを谷折り可能に平側パネルにヒンジ連結し、屋根パネルと床パネルをそれぞれ平側パネルの外側と内側に重ねて折り畳み可能に平側パネルの上下にヒンジ結合することで、平側パネルを基準として妻側パネルと屋根パネル及び床パネルを折り畳み可能とした折り畳み建造物は公知である（特許文献１参照）。
また、強度のある剛性材料からなる板状体をシート状の外装材で連結することにより両側面と天井面を一体に構成した折り畳み進展可能な建造物も公知である（特許文献２参照）。
【０００３】
【特許文献１】
特許第２９３０９３１号公報
【特許文献２】
特開平１１−３５０６０４号公報
【０００４】
【発明が解決しようとする課題】
しかし、特許文献１の技術では、平側パネルに妻側パネルと屋根パネル及び床パネルが連結され、折り畳み状態で平側パネル一枚分の大きさを必要とし、かなりの重量物で大型の折り畳み建造物であった。
また、特許文献２の技術でも、板状体及びシート状外装材により両側面と天井面が一体に構成され、折り畳み状態で両側面及び天井面による門形をなす大きさを必要とし、かなりの重量物で大型の折り畳み建造物であった。
従って、特許文献１及び特許文献２のいずれの技術も、運搬・荷下ろし・組立の一貫した簡易化を図る面で改善の余地がある。
【０００５】
本発明の課題は、軽量・小型で取り扱い性に優れ、しかも、壁パネル及び屋根パネルを一気に施工可能とする折り畳み式パネルを提供して、運搬・荷下ろし・組立を一貫して簡易化することである。
【０００６】
【課題を解決するための手段】
以上の課題を解決するため、請求項１に記載の発明は、
例えば、図１及び図２に示すように、
壁パネル１１を形成するための複数枚のパネル２１と屋根パネル１２を形成するための複数枚のパネル２１とからなり、個々のパネル２１を互いに回動可能とする連結部２２により次々に連結して全パネル２１が連続状態となった構成であって、
全パネル２１を連結部２２で互い違いに折り畳んで重ねた状態と全パネル２１を展開した状態とに形態変化可能な構成とした折り畳み式パネル２０を特徴とする。
【０００７】
請求項１に記載の発明によれば、壁パネルを形成するための複数枚のパネルと屋根パネルを形成するための複数枚のパネルとからなる全パネルを連結部で互い違いに折り畳んで重ねた状態にできるので、軽量・小型で取り扱い性に優れたものとなり、運搬から荷下ろしまで簡易化できる。
そして、全パネルを展開した状態にして壁パネル及び屋根パネルを一気に施工できるので、組立まで一貫して簡易化できる。
【０００８】
ここで、パネル単体のサイズとしては、例えば２ｍ×８ｍのものが挙げられるが任意であり、また、パネル素材としては、木製・金属製・樹脂製・複合材製等の適宜のものを採用し得る。
【０００９】
請求項２に記載の発明は、
請求項１に記載の折り畳み式パネル２０であって、
例えば、図３から図５に示すように、
全パネル２１の展開状態において、個々のパネル２１が連結部２２に生じる隙間に固定部材３１をそれぞれ挿入することにより互いに固定状態となることを特徴とする。
【００１０】
請求項３に記載の発明は、
請求項１または請求項２に記載の折り畳み式パネル２０であって、
例えば、図３から図６に示すように、
全パネル２１は、個々のパネル２１が連結部２２と直交方向の端部で隣接するパネル２１にそれぞれオーバーラップする止水材４１を有することを特徴とする。
【００１１】
また、請求項４に記載の発明は、
例えば、図１及び図２に示すように、
請求項１から請求項３のいずれか一項に記載の折り畳み式パネル２０が用いられ、
折り畳み状態から個々のパネル２１を展開して複数枚のパネル２１がそれぞれ平板状に連続して形成される壁パネル１１及び屋根パネル１２を備えるパネル展開式ハウス１０を特徴とする。
【００１２】
請求項４に記載の発明によれば、連結部で互い違いに折り畳んで重ねた状態から全パネルを展開して複数枚のパネルがそれぞれ平板状に連続する壁パネル及び屋根パネルを一気に施工して、パネル展開式ハウスを簡易に組み立てできる。
【００１３】
また、請求項５に記載の発明は、
例えば、図１及び図２に示すように、
請求項４に記載のパネル展開式ハウス１０の施工方法であって、
折り畳んで重ねた状態の全パネル２１を最上段のパネル２１から吊り上げて次々に展開させるとともに壁位置及び屋根位置に沿わせた後、
壁パネル１１及び屋根パネル１２を形成する個々のパネル２１を連結部２２において互いに固定することを特徴とする。
【００１４】
請求項５に記載の発明によれば、折り畳んで重ねた状態の全パネルを最上段のパネルから吊り上げて次々に展開させて壁位置及び屋根位置に沿わせた状態で、個々のパネルを連結部において互いに固定することで、壁パネル及び屋根パネルを固定状態にできる。
【００１５】
【発明の実施の形態】
以下、図を参照して本発明の実施の形態を詳細に説明する。
図１に簡略化して示すパネル展開式ハウス１０の壁パネル１１及び屋根パネル１２をそれぞれ複数枚のパネルで施工するためとして、図２に示すような折り畳み式パネル２０が用意される。
折り畳み式パネル２０は、図２に示したように、例えば２ｍ×８ｍのサイズによる個々のパネル２１を、長辺部において互いに回動可能とする連結部２２により次々に連結することで、全パネル２１が連続状態となっている。そして、その全パネル２１を連結部２２で互い違いに折り畳んで重ねた状態と、図１に示したように、全パネル２１を展開した状態とに形態変化可能である。
【００１６】
個々のパネル２１は、連結部２２において、図３及び図４に示すように、連結部材２３に備えた一対のピン２４に長孔２５を係合することで互いに回動自在に連結される。
このような連結部材２３に備えた一対のピン２４にパネル２１の長孔２５を係合して互いに回動自在な連結部２２の構造としたことで、図２に示したように、全パネル２１を連結部２２で互い違いに折り畳んで重ねた状態から全パネル２１を展開した状態に形態変化できる。
【００１７】
ここで、図３は連結部２２の外折れ（山折れ）部分を示したもので、パネル２１が直線状に連続する展開状態において、谷側（図示下側）に生じる隙間に固定部材３１が挿入して隙間を埋めた状態に固定される。また、図４は連結部２２の内折れ（谷折れ）部分を示したもので、パネル２１が直線状に連続する展開状態において、谷側（図示上側）に生じる隙間に固定部材３１が挿入して隙間を埋めた状態に固定される。
そして、パネル２１の表裏両面には止水材４１が設けられている。
【００１８】
以上の折り畳み式パネル２０は、工場から現場までの運搬時と荷下ろし時までは、図２（ａ）に示したように、全パネル２１を連結部２２で互い違いに折り畳んで重ねた状態として取り扱われる。
すなわち、壁パネル及び屋根パネルを施工するための折り畳み状態で軽量・小型の折り畳み式パネル２０であり、取り扱い性が良い。
【００１９】
次に、現場での施工について説明する。
図２（ａ）に示した折り畳んで重ねた状態の折り畳み式パネル２０において、図２（ｂ）に示すように、最上段のパネル２１とその下のパネル２１との連結部２２に荷吊り用のリングＲを取り付け、そのリングＲにクレーンのフックＦを掛けて、クレーンによりパネル２１を次々に吊り上げていく。
そして、図２（ｃ）に示すように、予め決められた壁位置及び屋根位置に沿わすように全パネル２１を展開していく。このとき、図示したように、キャスタＣを有するガイドレール台車Ｂを用い、そのガイドレールＧに沿わせながらパネル２１を展開することで施工性の向上が図れる。
【００２０】
以上の施工において、先端のパネル２１は、予め建て込まれた柱１３及び梁１４に適宜の手段を用いて固定する。また、連結部２２は、図３及び図４に示したように、全パネル２１の展開により生じた隙間に固定部材３１を挿入して固定状態にする。
こうして、図１に示したように、３枚のパネル２１が垂直に固定状態となった壁パネル１１と、この壁パネル１１に連続して４枚のパネル２１が水平に固定状態となった屋根パネル１２とが一気に施工される。
この結果、間口８ｍ・高さ６ｍ・奥行き８ｍのパネル展開式ハウス１０が組み立てられる。図示では、左側の壁が上１枚のパネル２１のみとなっているが、その壁全面にパネル２１を施工しても良いことは勿論である。
【００２１】
次に、図５は隣接するパネル部分も合わせて施工状態のパネル要部を示したもので、横方向に隣接するパネル２１の連結部２２には、図示したように、固定部材３１を繋げて挿入固定する。
また、横方向に隣接するパネル２１の接続部分は、図６に示したように、一方のパネル２１表面の止水材４１端部に設けた突部４２を、他方のパネル２１表面の止水材４１端部に形成した凹部４３に嵌め合わせるシール構造となっている。
【００２２】
なお、以上の実施の形態においては、２ｍ×８ｍのパネル単体サイズとしたが、本発明はこれに限定されるものではなく、他のサイズのパネルであっても良い。
また、パネル素材は、木製・金属製・樹脂製・複合材製等の適宜のものを採用し得、その他、パネル連結部・パネル補強部等、具体的な細部構造等についても適宜に変更可能であることは勿論である。
【００２３】
【発明の効果】
請求項１に記載の発明によれば、壁パネル及び屋根パネルを形成するための全パネルを連結部で互い違いに折り畳んで重ねた状態にして、軽量・小型で運搬から荷下ろしまで簡易化できるとともに、全パネルを展開した状態にして壁パネル及び屋根パネルを一気に施工できることから、組立まで一貫して簡易化できる。
【００２４】
また、請求項４に記載の発明によれば、全パネルを展開して複数枚のパネルがそれぞれ平板状に連続する壁パネル及び屋根パネルを一気に施工でき、すなわち、パネル展開式ハウスを簡易に組み立てできる。
【００２５】
また、請求項５に記載の発明によれば、壁位置及び屋根位置に沿わせた状態にした個々のパネルを連結部において互いに固定することによって、壁パネル及び屋根パネルを固定状態にできる。
【図面の簡単な説明】
【図１】本発明を適用した一実施の形態の構成を示すもので、壁パネル及び屋根パネルの施工状態を示した概略斜視図である。
【図２】本発明に係る折り畳み式パネルの仮置き状態（ａ）から引き上げ初期の状態（ｂ）を経て展開状態（ｃ）の過程を示した概略側面図である。
【図３】折り畳み式パネルのパネル連結部の構造例を示すもので、外折れ（山折れ）部分を示した拡大側面図である。
【図４】図３と同様にパネル連結部の構造例を示すもので、固定部材を分解状態として内折れ（谷折れ）部分を示した拡大側面図である
【図５】パネル連結部に設けられる固定部材を示すもので、隣接するパネル部分も合わせて施工状態のパネル要部を示した概略平面図である。
【図６】図５における隣接するパネルとのオーバーラップ部分に設ける止水材を示した断面図である。
【符号の説明】
１０  パネル展開式ハウス
１１  壁パネル
１２  屋根パネル
１３  柱
１４  梁
２０  折り畳み式パネル
２１  パネル
２２  連結部
２３  連結部材
２４  ピン
２５  長孔
３１  固定部材
４１  止水材
４２  突部
４３  凹部
【図１】
2004244894.tif 000003
【図２】
2004244894.tif 000004
【図３】
2004244894.tif 000005
【図４】
2004244894.tif 000006
【図５】
2004244894.tif 000007
【図６】
2004244894.tif 000008